(57)【要約】【課題】収容物品を保持する内側部材を有するとともに、コンパクトに折り畳むことが可能な新規な折り畳みコンテナを提案する。【解決手段】底部１２の各辺縁に底壁部１３，１４，１５，１６が一体に立設された底部材１１と、前記底壁部の上部に内側へ折り畳み可能に連接された側壁板２３，２４，２５，２６を有する外箱１０と、前記外箱内に配置され、収納物品Ｓを保持する保持部５０，５１，５２を有する内側部材３０とを含み、前記内側部材は、前記底部材に固設された底面側保持部３１と、前記底面側保持部の上部に内側へ折り畳み可能に連接された側面側保持部３３，３４とを有する。【選択図】        図１
2005014980.tif 000002
【特許請求の範囲】
【請求項１】
平面矩形状の底部（１２）の各辺縁に底壁部（１３，１４，１５，１６）が一体に立設された底部材（１１）と、前記底壁部の上部に内側へ折り畳み可能に連接された側壁板（２３，２４，２５，２６）とを有する外箱（１０）と、
前記外箱内に配置され、収納物品（Ｓ）を保持する保持部（５０，５１，５２）を有する内側部材（３０）とを含み、
前記内側部材は、前記底部材に固設された底面側保持部（３１）と、前記底面側保持部の上部に内側へ折り畳み可能に連接された側面側保持部（３３，３４）とを有することを特徴とする折り畳みコンテナ。
【請求項２】
前記内側部材（３０）が互いに対向する１組の側面側保持部（３３，３４）を有する請求項１の折り畳みコンテナ。
【請求項３】
前記側面側保持部のうち一の側面側保持部（３３）が対応する前記側壁板（２３）に固設されておらず、他の側面側保持部（３４）が対応する前記側壁板（２４）に固設されている請求項２の折り畳みコンテナ。
【請求項４】
前記保持部（５０，５１，５２）が樹脂発泡体（Ｆ）よりなり、前記底面側保持部又は側面側保持部の本体部材（３１Ａ，３３Ａ，３４Ａ）に対して座板部（６０）を介して配置され、かつ樹脂発泡体内に埋設された板部材（６５）との間でねじ部材（６９）によって前記本体部材に固設されている請求項１ないし３項のいずれか１項に記載の折り畳みコンテナ。
【請求項５】
前記本体部材（３１Ａ，３３Ａ，３４Ａ）がプラスチック段ボール材よりなる請求項４に記載の折り畳みコンテナ。
【発明の詳細な説明】
【０００１】
【発明の属する技術分野】
この発明は、収容物品を保持する内側部材を有し、かつコンパクトに折り畳むことができる折り畳みコンテナに関する。
【０００２】
【従来の技術】
従来、物品の流通には各種のコンテナが用いられており、物品輸送後の不使用時における移送や保管時に嵩張らないようにするために折り畳み可能なものが多数提案されている。（例えば、特許文献１参照）。
【０００３】
この種コンテナにあっては、収容物品の必要に応じ、緩衝性の高いクッション材からなる保持部を有する内側部材を内嵌して使用することがある。この内側部材は、コンテナ内で収容物品ががたつかなく傷が付かないように保持することができるとともに、例えばステアリング等の特殊形状の物品を箱体に収容することによって多数積み重ねて移送し保管することが可能となる。
【０００４】
しかるに、折り畳みコンテナ内に内側部材を用いた場合には、コンテナ内部に該内側部材が内装もしく突出し、しかも緩衝材の性質上嵩高なものであるために、外箱となるコンテナ自体を折り畳むことが困難となり、結局そのままの嵩張る箱体形状のまま移送や保管しているのが現状である。もちろん、内側部材をコンテナから取り外すことが考えられるが、取り外した内側部材のための別のスペースが必要となり、紛失のおそれがあるばかりか、着脱作業の繁雑や内側部材の損傷や汚れなど多くの問題がある。
【０００５】
【特許文献１】
特開平７−２２４７号公報
【０００６】
【発明が解決しようとする課題】
この発明は前記の点に鑑みなされたもので、簡単な構造で、収容物品を保持する内側部材を有するとともに、コンパクトに折り畳むことが可能な新規な折り畳みコンテナを提案するものである。
【０００７】
【課題を解決するための手段】
すなわち、請求項１の発明は、平面矩形状の底部（１２）の各辺縁に底壁部（１３，１４，１５，１６）が一体に立設された底部材（１１）と、前記底壁部の上部に内側へ折り畳み可能に連接された側壁板（２３，２４，２５，２６）とを有する外箱（１０）と、前記外箱内に配置され、収納物品（Ｓ）を保持する保持部（５０，５１，５２）を有する内側部材（３０）とを含み、前記内側部材は、前記底部材に固設された底面側保持部（３１）と、前記底面側保持部の上部に内側へ折り畳み可能に連接された側面側保持部（３３，３４）とを有することを特徴とする折り畳みコンテナに係る。
【０００８】
請求項２の発明は、前記内側部材（３０）が互いに対向する１組の側面側保持部（３３，３４）を有する請求項１の折り畳みコンテナに係る。
【０００９】
請求項３の発明は、前記側面側保持部のうち一の側面側保持部（３３）が対応する前記側壁板（２３）に固設されておらず、他の側面側保持部（３４）が対応する前記側壁板（２４）に固設されている請求項２の折り畳みコンテナに係る。
【００１０】
また、請求項４の発明は、前記保持部（５０，５１，５２）が樹脂発泡体（Ｆ）よりなり、前記底面側保持部又は側面側保持部の本体部材（３１Ａ，３３Ａ，３４Ａ）に対して座板部（６０）を介して配置され、かつ樹脂発泡体内に埋設された板部材（６５）との間でねじ部材（６９）によって前記本体部材に固設されている請求項１ないし３項のいずれか１項に記載の折り畳みコンテナに係る。
【００１１】
さらに、請求項５の発明は、前記本体部材（３１Ａ，３３Ａ，３４Ａ）がプラスチック段ボール材よりなる請求項４に記載の折り畳みコンテナに係る。
【００１２】
【発明の実施の形態】
以下添付の図面にしたがってこの発明を詳細に説明する。
図１はこの発明の一実施例に係る折り畳みコンテナを示す斜視図、図２は内側部材の一実施例を示す斜視図、図３は図１の３−３断面図、図４は一の側面側保持部を折り畳んだ状態を示す断面図、図５は他の側面側保持部を有する側壁板を折り畳んだ状態を示す断面図、図６は前記一の側面側保持部が対応する側壁板を折り畳んだ状態を示す断面図、図７はすべての側壁板を折り畳んだ状態の断面図である。
【００１３】
この発明の折り畳みコンテナＣは、図１ないし図３からも解るように、平面矩形状の底部１２の各辺縁に底壁部１３，１４，１５，１６が一体に立設された底部材１１と、前記底壁部１３，１４，１５，１６の上部に内側へ折り畳み可能に連接された側壁板２３，２４，２５，２６とを有する外箱１０と、前記外箱１０内に配置され、収納物品Ｓを保持する保持部５０，５１，５２を有する内側部材３０の各部材からなる。
【００１４】
外箱１０は、実施例においてプラスチック製よりなり、前記したように底部材１１の底壁部１３，１４，１５，１６上に折り畳み可能に設けられた側壁板２３，２４，２５，２６がヒンジ部２９により内側に収容される構造である。各側壁板２３，２４，２５，２６は立設した状態でそれぞれ隣接する側壁部材２３，２４，２５，２６と公知の適宜の構造により係止されて箱体を形成する。
【００１５】
内側部材３０は、前記底部材１１に固設された底面側保持部３１と、前記底面側保持部３１の上部に、内側へ折り畳み可能に連接された側面側保持部３３，３４とを有する。該側面側保持部３３，３４は、収容物品の形状に応じたものとすることができる。
【００１６】
内側部材３０は、実施例において、請求項２に規定したように、互いに対向する１組の側面側保持部３３，３４を有するものである。該実施例では、収納物品（ここではステアリング）Ｓは、底面側保持部３１と側面側保持部３３，３４の３点によって保持される。
【００１７】
さらに、実施例の内側部材３０は、請求項３に規定するように、前記側面側保持部３３，３４のうち一の側面側保持部３３が対応する前記側壁板２３に固設されておらず、他の側面側保持部３４が対応する前記側壁板２４にリベット１９によって固設されている。なお、前記側面側保持部３３は側壁板２３に対し立設状態を保持するために、その裏面で面ファスナー等により容易に取り外し可能に係止されるのが好ましい。また、実施例の内側部材３０は、外箱１０の底部材１１の底壁部１３，１４において、ずれ防止及び位置決めのためリベット１９により固定されている。
【００１８】
保持部５０，５１，５２は、通常合成樹脂発泡体等からなる緩衝材よりなり、収納物品によってその形状や材質、大きさ等が適宜決定されるものである。実施例では収納部品Ｓが自動車のステアリングであるので、図のような挟持のための凹部を有する緩衝材より構成されている。
【００１９】
この実施例の内側部材３０は、請求項４に規定したように、前記保持部５０，５１，５２が樹脂発泡体Ｆよりなり、前記底面側保持部３１又は側面側保持部３３，３４の本体部材３１Ａ，３３Ａ，３４Ａに対して座板部６０を介して配置され、かつ樹脂発泡体内に埋設された板部材６５との間でねじ部材６９によって前記側面側保持部３３，３４の本体部材３３Ａ，３４Ａに固設されている。樹脂発泡体Ｆは、実施例においてはポリエチレンテレフタレート製（ＰＥＴ）の発泡体を用いて緩衝材としており、座板部６０はアルミ板をコ字状にしたもので保持部５０，５１，５２の補強としての機能を付与している。板部材６５はねじ部材６９と確実に係合するもので、ポリプロピレン（ＰＰ）製や、ベニヤ製の板を使用することができる。
【００２０】
さらに、前記本体部材３１Ａ，３３Ａ，３４Ａは請求項５に規定したように、プラスチック段ボール材よりなるものとするのが好ましい。プラスチック段ボールは、軽量でありながら剛性も高く、耐水性や耐久性もあるため好ましく使用される。さらに本体部材が破損したり汚れたりした場合にも容易に交換することができる。
【００２１】
次に、図４ないし図７に基づいて、当該実施例の折り畳みコンテナＣの折り畳み方について説明する。
まず、図４に示すように、前記側面側保持部３３，３４のうち、側壁板２３に固定されていない一側の側面側保持部３３を内側へ折り畳む。当該側面側保持部本体３３Ａ及び３４Ａの折り曲げ位置には、側面側保持部本体３３Ａ，３４Ａの裏側に厚み方向半分程度の切れ目（ハーフカット）を入れて曲げやすくしている。
【００２２】
次に図５に示すように、他の側面側保持部３４が固定された側壁板２４を一体に傾倒し、折り畳む。このとき側壁板２４はほぼ水平に折り畳まれる。さらに、図６のように該側壁板２４に対向する一側の側壁板２３を、すでに折り畳んだ状態の側壁板２４上にかぶせるように折り畳む。なお、側壁板２３，２４，２５，２６の高さによっては、実施例の図のように、折り畳んだ側壁板２３，２４が重なることなく収容される場合もある。
【００２３】
そして、最後に保持部を有しない側壁板２５，２６を順に折り畳むことによって、図７に示すように、前記保持部３１，３３，３４及び保持部３３，３４を有する側壁板２３，２４を収容し、底部材１１の高さと側壁板２５，２６の厚みからなるコンパクトな箱体として折り畳むことができる。
【００２４】
【発明の効果】
以上図示し説明したように、この発明の折り畳みコンテナによれば、底部材と、側壁板を有する外箱と、収納物品を保持する保持部を有する内側部材とを含み、内側部材は、底部材に固定された底面側保持部と、底面側保持部の上部に内側へ折り畳み可能に連接された側面側保持部とを有するものであって、前記側壁板と、内側部材の側面側保持部を順に内側へ折り畳むことによって、収容物品の緩衝効果を持つ保持部を備えるとともにコンパクトに折り畳むことができる。
【００２５】
また、側面側保持部のうち一の側面側保持部が対応する側壁板に固設されておらず、他の側面側保持部が対応する前記側壁板に固設されている構造とした折り畳みコンテナにあっては、前記側壁板に固定されていない側面側保持部から折り畳むことによって、内側部材を内装していても容易に折り畳むことが可能となる。
【００２６】
さらに、保持部が樹脂発泡体よりなり、底面側保持部又は側面側保持部の本体部材に対して座板部を介して配置され、かつ樹脂発泡体内に埋設された板部材との間でねじ部材によって本体部材に固設されている構造とすることによって、発泡体よりなる保持部を内側部材本体に確実かつ強固に固定することができる。
【００２７】
さらにまた、内側部材の本体部材をプラスチック段ボールとすることによって、軽量で必要な強度を備え、耐水性及び耐久性に優れ、経済的でもある。内側部材が破損したり汚れたりした場合にも容易に交換することができる。
【図面の簡単な説明】
【図１】この発明の一実施例に係る折り畳みコンテナを示す斜視図である。
【図２】内側部材の一実施例を示す斜視図である。
【図３】図１の３−３断面図である。
【図４】一の側面側保持部を折り畳んだ状態を示す断面図である。
【図５】他の側面側保持部を有する側壁板を折り畳んだ状態を示す断面図である。
【図６】前記一の側面側保持部が対応する側壁板を折り畳んだ状態を示す断面図である。
【図７】すべての側壁板を折り畳んだ状態の断面図である。
【符号の説明】
１０  外箱
１１  底部材
１２  底部
１３，１４，１５，１６  底壁部
２３，２４，２５，２６  側壁板
３０  内側部材
３１  底面側保持部
３３，３４  側面側保持部
５０，５１，５２  保持部
６０  座板部
６５  板部材
【図１】
2005014980.tif 000003
【図２】
2005014980.tif 000004
【図３】
2005014980.tif 000005
【図４】
2005014980.tif 000006
【図５】
2005014980.tif 000007
【図６】
2005014980.tif 000008
【図７】
2005014980.tif 000009